(57)【特許請求の範囲】
【請求項１】
クッキーの生地の表面に模様、文字、記号、絵柄等の各種の表現パターンを表出する表出凹部を押印成型可能な押印型材を備えてなり、上記押印型材は台座部材及び上記表出凹部を押印成型可能な各種の複数個の部品部材からなり、該台座部材と該複数個の部品部材とは着脱機構により着脱自在に設けられ、該着脱機構として、上記台座部材の表面のほぼ全域に嵌脱穴部を多数個形成し、上記複数個の部品部材に該多数個の嵌脱穴部のうちのいずれの嵌脱穴部にも嵌脱可能な嵌脱突部を形成してなり、上記台座部材は透明な合成樹脂材からなり、上記嵌脱突部は上記各々の部品部材にそれぞれ単一個ずつ形成され、該単一個の嵌脱突部は該部品部材を該嵌脱穴部と該嵌脱突部との嵌合軸線を中心として水平旋回自在とする丸ピン状に形成され、上記複数個の部品部材は上記表現パターンに応じて単一個又は複数個選択して上記台座部材に取着され、上記クッキーの生地を所定の輪郭形状に型抜可能な輪郭型材を備えてなることを特徴とするクッキー用スタンプ型。
【発明の詳細な説明】
【技術分野】
【０００１】
本発明は洋菓子としてのクッキーを作る際に用いられるクッキー用スタンプ型に関するものである。
【背景技術】
【０００２】
従来、この種のクッキー用スタンプ型として、クッキーの生地の表面に模様、文字、記号、絵柄等の各種の表現パターンを表出する表出凹部を押印成型可能な押印型材を備えてなり、上記押印型材は一個の台座部材及び上記表出凹部を押印成型可能な各種の二個の部品部材からなり、台座部材と二個の部品部材とは着脱機構により着脱自在に設けられ、着脱機構として、台座部材の表面に六個の嵌脱穴部を形成し、一方の部品部材に二個の嵌脱突部を形成し、他方の部品部材に四個の嵌脱突部を形成し、嵌脱穴部の総数（六個）と二個の部品部材の嵌脱突部の総数（六個）とを同数の六個形成してなる構造のものが知られている。
【０００３】
しかして、クッキーの生地を焼き上げる前の段階において、めん棒等により均一な厚さに延ばしたクッキーの生地の表面に上記押印型材を押圧して模様、文字、記号、絵柄等の各種の表現パターンを表出する表出凹部を押印成型することになる。
【先行技術文献】
【特許文献】
【０００４】
【特許文献１】実用新案登録第３０３３４５１号
【発明の概要】
【発明が解決しようとする課題】
【０００５】
しかしながらこれら従来構造の場合、上記押印型材は一個の台座部材及び上記表出凹部を押印成型可能な各種の二個の部品部材からなり、台座部材と部品部材との位置決めをなすため一方の部品部材に二個の嵌脱突部が形成され、他方の部品部材には四個の嵌脱突部が形成され、かつ、二個の部品部材を一個の台座部材の特定の位置に配置して取着すべく上記台座部材の表面に六個の嵌脱穴部を形成し、嵌脱穴部の総数（六個）と二個の部品部材の嵌脱突部の総数（六個）とを同数の六個形成する構造であるから表出凹部の形状はほぼ画一的に定まることになり、それ故に、様々な変化に富んだ表現パターンを表出する表出凹部を押印成型することができず、表出凹部の多様性及び配置の融通性に乏しいことがあるという不都合を有している。
【課題を解決するための手段】
【０００６】
本発明はこのような不都合を解決することを目的とするもので、本発明のうちで、請求項１記載の発明は、クッキーの生地の表面に模様、文字、記号、絵柄等の各種の表現パターンを表出する表出凹部を押印成型可能な押印型材を備えてなり、上記押印型材は台座部材及び上記表出凹部を押印成型可能な各種の複数個の部品部材からなり、該台座部材と該複数個の部品部材とは着脱機構により着脱自在に設けられ、該着脱機構として、上記台座部材の表面のほぼ全域に嵌脱穴部を多数個形成し、上記複数個の部品部材に該多数個の嵌脱穴部のうちのいずれの嵌脱穴部にも嵌脱可能な嵌脱突部を形成してなり、上記台座部材は透明な合成樹脂材からなり、上記嵌脱突部は上記各々の部品部材にそれぞれ単一個ずつ形成され、該単一個の嵌脱突部は該部品部材を該嵌脱穴部と該嵌脱突部との嵌合軸線を中心として水平旋回自在とする丸ピン状に形成され、上記複数個の部品部材は上記表現パターンに応じて単一個又は複数個選択して上記台座部材に取着され、上記クッキーの生地を所定の輪郭形状に型抜可能な輪郭型材を備えてなることを特徴とするクッキー用スタンプ型にある。
【発明の効果】
【０００７】
本発明は上述の如く、請求項１記載の発明にあっては、押印型材は台座部材及び複数個の部品部材からなり、台座部材に複数個の部品部材の中から選択した部品部材を着脱機構により着脱自在に取着することになり、しかして、クッキーの生地に押印型材を押印成型してクッキーの生地の表面に模様、文字、記号、絵柄等の各種の表現パターンを表出する表出凹部を押印成型することができ、この際、この着脱機構として、上記台座部材の表面のほぼ全域に嵌脱穴部が多数個形成され、上記複数個の部品部材に多数個の嵌脱穴部のうちのいずれの嵌脱穴部にも嵌脱可能な嵌脱突部が形成されてなるから、上記台座部材の表面のほぼ全域に多数個形成された嵌脱穴部のいずれにも上記複数個の部品部材の嵌脱突部を着脱自在に取着することができ、したがって、上記台座部材と部品部材との相対位置及び部品部材相互の相対位置を容易に可変設定することができ、それ故、様々に変化に富んだ表現パターンを表出する表出凹部を押印成型することができ、表出凹部の多様性及び配置の融通性を向上することができ、商品の斬新性を高めることができ、上記台座部材は透明な合成樹脂材からなるので、台座部材を透視して台座部材に対する部品部材の配置位置や部品部材の相互の配置位置、生地に対する表出凹部の成型位置を確認することができ、所望の表出凹部を押印成型することができ、更に、上記嵌脱突部は上記各々の部品部材にそれぞれ単一個ずつ形成され、単一個の嵌脱突部は上記部品部材を嵌脱穴部と上記嵌脱突部との嵌合軸線を中心として水平旋回自在とする丸ピン状に形成されているから、部品部材を嵌脱穴部と嵌脱突部との嵌合軸線を中心として水平旋回させることができ、台座部材に対する部品部材の配置の傾斜位置や部品部材の相互の配置の傾斜位置、生地に対する表出凹部の成型傾斜位置を容易に変更設定することができ、表出凹部の多様性及び配置の融通性を向上することができ、上記複数個の部品部材は上記表現パターンに応じて単一個又は複数個選択して上記台座部材に取着することができ、一層、表出凹部の多様性及び配置の融通性を向上することができ、上記クッキーの生地を所定の輪郭形状に型抜可能な輪郭型材を設けてなるから、押印型材による押印成型前、又は、押印成型後において、所定の輪郭形状に型抜することができ、上記クッキーの生地の輪郭形状を容易に型抜することができる。
【図面の簡単な説明】
【０００８】
【図１】本発明の実施の第一形態例の台座部材の斜視図である。
【図２】本発明の実施の第一形態例の台座部材の斜視図である。
【図３】本発明の実施の第一形態例の台座部材の部分断面図である。
【図４】本発明の実施の第一形態例の部品部材の樹脂成形品の平面図である。
【図５】本発明の実施の第一形態例の部品部材の樹脂成形品の裏面図である。
【図６】本発明の実施の第一形態例の部品部材の樹脂成形品の平面図である。
【図７】本発明の実施の第一形態例の部品部材の樹脂成形品の裏面図である。
【図８】本発明の実施の第一形態例の輪郭型材の斜視図である。
【図９】本発明の実施の第一形態例の使用状態の斜視図である。
【図１０】本発明の実施の第一形態例の使用状態の斜視図である。
【図１１】本発明の実施の第一形態例の使用状態の斜視図である。
【図１２】本発明の実施の第一形態例の使用状態の底面図である。
【図１３】本発明の実施の第一形態例の使用状態の断面図である。
【図１４】本発明の実施の第一形態例の使用状態の斜視図である。
【図１５】本発明の実施の第二形態例の台座部材の斜視図である。
【図１６】本発明の実施の第二形態例の台座部材の底面図である。
【発明を実施するための形態】
【０００９】
図１乃至図１６は本発明の実施の形態例を示し、図１乃至図１４は第一形態例、図１５、図１６は第二形態例である。
【００１０】
図１乃至図１４の第一形態例において、１は押印型材であって、図１、図４、図６、図９、図１０、図１１、図１４の如く、クッキーＫの生地Ｗの表面に模様、文字、記号、絵柄等の各種の表現パターンＰを表出する表出凹部Ｍを押印成型可能に形成され、この場合、円形盤状の台座部材２及び表出凹部Ｍを押印成型可能な各種の複数個、この場合、二個の樹脂成形品Ｈ・Ｈに４個と１５個の計１９個の部品部材３からなり、台座部材２には摘み部２ｂが形成され、各部品部材３・・には表出凹部Ｍを押印成型可能な型凸部Ｆ・・が形成され、樹脂成形品Ｈから部品部材３・・をゲート部Ｈ１で切離され、この台座部材２と複数個の部品部材３・・とは着脱機構４によりそれぞれ着脱自在に設けられている。
【００１１】
この場合、上記着脱機構４として、図２、図３、図９、図１０、図１３の如く、上記台座部材２の表面のほぼ全域に嵌脱穴部２ａ・・を多数個形成し、上記複数個の部品部材３に多数個の嵌脱穴部２ａ・・のうちのいずれの嵌脱穴部２ａ・・にも嵌脱可能な嵌脱突部３ａを形成している。
【００１２】
又、この場合、上記台座部材２は透明な合成樹脂材により成型され、又、この場合、図５、図７、図９、図１０の如く、上記嵌脱突部３ａは上記各々の部品部材３にそれぞれ単一個ずつ形成され、単一個の嵌脱突部３ａは丸ピン状に形成されている。
【００１３】
この場合、図１０の如く、上記複数個の部品部材３は上記表現パターンＰに応じて単一個又は複数個選択して上記台座部材２に取着するようにしている。
【００１４】
５は輪郭型材であって、この場合、図８、図１４の如く、金属製にして、上記クッキーＫの生地Ｗを所定の輪郭形状Ｗ１に型抜可能に形成され、クッキーＫの生地Ｗには抜き穴Ｗ２が形成されることになる。
【００１５】
又、この場合、図１２の如く、各種のキャラクタの目、耳、口等の表現パターンＰを表出する表出凹部Ｍを押印成型可能に形成され、各部品部材３には表出凹部Ｍを押印成型可能な型凸部Ｆ・・が形成され、詳しくは、上記部品部材３は上記一方の樹脂成形品Ｈには図４、図５の如く、三種の口及び蜘蛛の巣の表現パターンＰ、他方の樹脂成形品Ｈには図６、図７の如く、１２種の目（口兼用）及び三種の口の表現パターンＰが表現されており、又、上記輪郭型材５は、図８の如く、各種のキャラクタの体型等に型抜可能に形成され、この場合、いわゆる、ハロウィンのキャラクタ形態を採用している。
【００１６】
この実施の第一形態例は上記構成であるから、図１０、図１１、図１２、図１４の如く、押印型材１は台座部材２及び複数個の部品部材３・・からなり、台座部材２に複数個の部品部材３・・の中から選択した部品部材３を着脱機構４により着脱自在に取着することになり、しかして、クッキーＫの生地Ｗに押印型材１を押印成型してクッキーＫの生地Ｗの表面に模様、文字、記号、絵柄等の各種の表現パターンＰを表出する表出凹部Ｍを押印成型することができる。
【００１７】
この際、この着脱機構４として、上記台座部材２の表面のほぼ全域に嵌脱穴部２ａ・・が多数個形成され、上記複数個の部品部材３・・に多数個の嵌脱穴部２ａ・・のうちのいずれの嵌脱穴部２ａ・・にも嵌脱可能な嵌脱突部３ａ・・が形成されてなるから、上記台座部材２の表面のほぼ全域に多数個形成された嵌脱穴部２ａ・・のいずれにも上記複数個の部品部材３・・の嵌脱突部３ａ・・を着脱自在に取着することができ、したがって、上記台座部材２と部品部材３・・との相対位置及び部品部材３・・相互の相対位置を容易に可変設定することができ、それ故、様々に変化に富んだ表現パターンＰを表出する表出凹部Ｍを押印成型することができ、表出凹部Ｍの多様性及び配置の融通性を向上することができ、商品の斬新性を高めることができる。
【００１８】
この場合、上記台座部材２は透明な合成樹脂材からなるので、台座部材２を透視して台座部材２に対する部品部材３・・の配置位置や部品部材３・・の相互の配置位置、生地Ｗに対する表出凹部Ｍの成型位置を確認することができ、所望の表出凹部Ｍを押印成型することができ、又、この場合、上記嵌脱突部３ａは上記各々の部品部材３にそれぞれ単一個ずつ形成され、単一個の嵌脱突部３ａは丸ピン状に形成されているから、部品部材３を嵌脱穴部２ａと嵌脱突部３ａとの嵌合軸線を中心として水平旋回させることができ、台座部材２に対する部品部材３・・の配置の傾斜位置や部品部材３・・の相互の配置の傾斜位置、生地Ｗに対する表出凹部Ｍの成型傾斜位置を容易に変更設定することができ、表出凹部Ｍの多様性及び配置の融通性を向上することができ、又、この場合、上記複数個の部品部材３・・は上記表現パターンＰに応じて単一個又は複数個選択して上記台座部材２に取着することができ、一層、表出凹部Ｍの多様性及び配置の融通性を向上することができる。
【００１９】
又、この場合、図８の如く、上記クッキーＫの生地Ｗを所定の輪郭形状Ｗ１に型抜可能な輪郭型材５を設けてなるから、図１４の如く、押印型材１による押印成型前、又は、押印成型後において、所定の輪郭形状Ｗ１に型抜することができ、上記クッキーＫの生地Ｗの輪郭形状Ｗ１を容易に型抜することができる。
【００２０】
図１５、図１６の第二形態例は別例構造を示し、この場合、押印型材１の台座部材２の別例構造を示し、上記台座部材２は四角板状に形成され、台座部材２の表面のほぼ全域に嵌脱穴部２ａ・・が多数個形成され、上記複数個の部品部材３・・に多数個の嵌脱穴部２ａ・・のうちのいずれの嵌脱穴部２ａ・・にも嵌脱可能な嵌脱突部３ａ・・が形成され、かつ、上記台座部材２は透明な合成樹脂材により成型され、さらに、上記嵌脱突部３ａは上記各々の部品部材３にそれぞれ単一個ずつ形成され、単一個の嵌脱突部３ａは丸ピン状に形成されている。
【００２１】
この第二形態例にあっても、上記形態例と同様に、上記台座部材２の表面のほぼ全域に多数個形成された嵌脱穴部２ａ・・のいずれにも上記複数個の部品部材３・・の嵌脱突部３ａ・・を着脱自在に取着することができ、上記台座部材２と部品部材３・・との相対位置及び部品部材３・・相互の相対位置を容易に可変設定することができ、それ故、様々に変化に富んだ表現パターンＰを表出する表出凹部Ｍを押印成型することができ、表出凹部Ｍの多様性及び配置の融通性を向上することができ、商品の斬新性を高めることができる。
【００２２】
尚、本発明は上記実施の形態例に限られるものではなく、例えば、押印型材１、台座部材２、部品部材３、嵌脱穴部２ａ、嵌脱突部３ａ、輪郭型材５の形状や材質等は適宜変更して設計されるものである。
【００２３】
以上の如く、所期の目的を充分達成することができる。
【符号の説明】
【００２４】
Ｋ    クッキー
Ｗ    生地
Ｐ    表現パターン
Ｍ    表出凹部
Ｗ１    輪郭形状
１    押印型材
２    台座部材
２ａ    嵌脱穴部
３    部品部材
３ａ    嵌脱突部
４    着脱機構
５    輪郭型材
【図１】
0006459388.tif 000002
【図２】
0006459388.tif 000003
【図３】
0006459388.tif 000004
【図４】
0006459388.tif 000005
【図５】
0006459388.tif 000006
【図６】
0006459388.tif 000007
【図７】
0006459388.tif 000008
【図８】
0006459388.tif 000009
【図９】
0006459388.tif 000010
【図１０】
0006459388.tif 000011
【図１１】
0006459388.tif 000012
【図１２】
0006459388.tif 000013
【図１３】
0006459388.tif 000014
【図１４】
0006459388.tif 000015
【図１５】
0006459388.tif 000016
【図１６】
0006459388.tif 000017